(57)【要約】  配線体４０は、第２の樹脂部７０と、第２の樹脂部の一方の側に設けられ、第１の電極部６１を含む第１の導体部６０と、第２の樹脂部の他方の側に設けられ、第２の電極部８１を含む第２の導体部８０と、を備え、第１の電極部は、相互に交差する複数の第１の細線６１１を有し、第１の細線により形成される少なくとも一つの第１の格子６１２を含んでおり、第２の電極部は、相互に交差する複数の第２の細線８１１を有し、第２の細線により形成される少なくとも一つの第２の格子８１２を含んでおり、第１の電極部と第２の電極部とを対向して配することで、透過平面視において、第１の電極部と第２の電極部とが部分的に重なる重複領域４１と、重複領域以外の非重複領域４２とが存在しており、透過平面視において、第１の電極部又は第２の電極部における重複領域での単位面積当たりの第１の細線及び第２の細線の占有面積が、非重複領域での単位面積当たりの第１の細線又は第２の細線の占有面積よりも大きく、第１の導体部は、第１の電極部と同一平面上に位置し、第１の電極部と電気的に絶縁された第１のダミー電極部６３を含み、第１のダミー電極部は、非重複領域において、少なくとも一つの第１の格子内に存在している。
2018123974.tif 000002
【特許請求の範囲】
【請求項１】
絶縁部と、
前記絶縁部の一方の側に設けられ、第１の電極部を含む第１の導体部と、
前記絶縁部の他方の側に設けられ、第２の電極部を含む第２の導体部と、を備え、
前記第１の電極部は、相互に交差する複数の第１の細線を有し、前記第１の細線により形成される少なくとも一つの第１の格子を含んでおり、
前記第２の電極部は、相互に交差する複数の第２の細線を有し、前記第２の細線により形成される少なくとも一つの第２の格子を含んでおり、
前記第１の電極部と前記第２の電極部とを対向して配することで、透過平面視において、前記第１の電極部と前記第２の電極部とが部分的に重なる重複領域と、前記重複領域以外の非重複領域とが存在しており、
透過平面視において、前記第１の電極部又は前記第２の電極部における前記重複領域での単位面積当たりの前記第１の細線及び前記第２の細線の占有面積が、前記非重複領域での単位面積当たりの前記第１の細線又は前記第２の細線の占有面積よりも大きい配線体であって、
前記第１の導体部は、前記第１の電極部と同一平面上に位置し、前記第１の電極部と電気的に絶縁された第１のダミー電極部を含み、
前記第１のダミー電極部は、前記非重複領域において、少なくとも一つの前記第１の格子内に存在している配線体。
【請求項２】
請求項１に記載の配線体であって、
前記第１の導体部又は前記第２の導体部は、前記第１の電極部又は前記第２の電極部と同一平面上に位置し、前記第１の電極部又は前記第２の電極部と電気的に絶縁された第２のダミー電極部を含み、
透過平面視において、前記第２のダミー電極部は、前記非重複領域において、少なくとも一つの前記第２の格子内に存在している配線体。
【請求項３】
請求項１又は２に記載の配線体であって、
前記第１のダミー電極部は、相互に交差する方向に延在する複数の第３の細線を有し、
前記重複領域内で前記第１の細線と前記第２の細線とが重なることで、複数の第３の格子が形成されており、
前記非重複領域内で前記第１の細線と前記第３の細線とが組み合わさることで、複数の第４の格子が形成されており、
前記第４の格子は、前記第３の格子と実質的に同一形状である配線体。
【請求項４】
請求項３に記載の配線体であって、
前記第１のダミー電極部は、前記第３の細線同士の交点に形成された少なくとも一つの第１の断線部を含む配線体。
【請求項５】
請求項３又は４に記載の配線体であって、
前記第１の電極部において、前記第１の格子内に突き出た前記第１の細線は存在しておらず、
前記第１のダミー電極部は、前記第１の細線と前記第３の細線との全ての交点に形成された第２の断線部を含む配線体。
【請求項６】
請求項５に記載の配線体であって、
下記（１）式を満たす配線体。
Ｓ１≦Ｌ／１０  …  （１）
但し、上記（１）式において、Ｓ１は前記第２の断線部における前記第１の細線と前記第３の細線との間隔であり、Ｌは前記第４の格子の一辺の長さである。
【請求項７】
請求項６に記載の配線体であって、
下記（２）式及び（３）式を満たす配線体。
（Ｓ２−Ｓ３）×０．５／Ｈ≦１  …  （２）
Ｓ３＜５０μｍ  …  （３）
但し、上記（２）式及び（３）式において、Ｓ２は前記第２の断線部における前記第１の細線と前記第３の細線との最大間隔であり、Ｓ３は前記第２の断線部における前記第１の細線と前記第３の細線との最小間隔であり、Ｈは前記第３の細線の高さである。
【請求項８】
請求項１〜７の何れか一項に記載の配線体であって、
前記非重複領域は、透過平面視において、前記第１の電極部と前記第２の電極部の両方と重ならない隙間領域を含み、
前記第１の導体部及び前記第２の導体部の少なくとも一方は、前記第１の電極部又は前記第２の電極部と同一平面上に位置し、前記第１の電極部又は前記第２の電極部と電気的に絶縁された第３のダミー電極部を含み、
前記第３のダミー電極部は、前記隙間領域内に存在している配線体。
【請求項９】
請求項８に記載の配線体であって、
前記第３のダミー電極部は、相互に交差する方向に延在する複数の第５の細線を有し、前記第５の細線により形成される少なくとも一つの第５の格子を含んでおり、
前記第５の格子は、前記第３の格子と実質的に同一形状である配線体。
【請求項１０】
請求項１〜９の何れか一項に記載の配線体であって、
前記第１の電極部は、
平面視において略菱形形状を有し、前記第１の電極部の延在方向に並列された複数の第１の検知部と、
隣り合う前記第１の検知部同士を接続する第１の接続部と、を含み、
前記第２の電極部は、
平面視において略菱形形状を有し、前記第２の電極部の延在方向に並列された複数の第２の検知部と、
隣り合う前記第２の検知部同士を接続する第２の接続部と、を含み、
前記第１の接続部及び前記第２の接続部は、前記重複領域に配されており、
前記第１の検知部及び前記第２の検知部は、前記非重複領域に配されている配線体。
【請求項１１】
請求項１〜１０の何れか一項に記載の配線体と、
前記配線体を支持する支持体と、を備える配線基板。
【請求項１２】
外部導体のタッチ位置を検出するタッチセンサであって、
請求項１１に記載の配線基板を備え、
前記第２の導体部は、前記外部導体と前記第１の導体部との間に介在するように配置されているタッチセンサ。
【発明の詳細な説明】
【技術分野】
【０００１】
本発明は、配線体、配線基板、及びタッチセンサに関するものである。
文献の参照による組み込みが認められる指定国については、２０１６年１２月２８日に日本国に出願された特願２０１６−２５６４６８に記載された内容を参照により本明細書に組み込み、本明細書の記載の一部とする。
【背景技術】
【０００２】
タッチパネルにおいて、２以上の大格子と、隣接する大格子間を電気的に接続する接続部を有し、２以上の小格子を組み合わせて大格子を構成し、当該小格子のｎ倍ピッチを有する１以上の中格子を配置して接続部を構成したものが知られている（例えば特許文献１参照）。このタッチパネルでは、積層された２層の導電シートを上面から見たとき、対向する接続部同士の組み合わせにより複数の小格子が配列され、周りの大格子を構成する小格子との見分けがつかなくなることで、タッチパネルの視認性を向上させている。【０００３】
また、タッチパネルにおいて、複数の第１電極が接続された第１導電パターンを有する第１導電部と、第１導電パターンの配列方向と直交する方向に配列され、複数の第２電極が接続させて第２導電パターンを有する第２導電部とが対向して配置され、第１導電部及び／又は第２導電部は、第１電極と第２電極との間に配置されるダミー電極と、第１導電部に含まれ、第２電極に対応した部分に配置される別のダミー電極とを有するものが知られている（例えば特許文献２参照）。このタッチパネルでは、積層された２層の導電シートを上面から見たとき、別のダミー電極により、第１電極に対応した部分の光透過率と第２電極に対応した部分の光透過率とを均一にして、タッチパネルの視認性を向上させている。
【先行技術文献】
【特許文献】
【０００４】
【特許文献１】特許第４８２０４５１号公報
【特許文献２】特許第５６１５８５６号公報
【発明の概要】
【発明が解決しようとする課題】
【０００５】
しかしながら、上記特許文献１に記載の従来技術では、接続部における導通経路の減少により回路抵抗が上昇し、タッチパネルのセンサ感度が低下してしまうおそれがあるという問題がある。【０００６】
また、上記特許文献２に記載の従来技術では、別のダミー電極と第２電極とを対向して配置させているため、指先が保護層に接触又は近接した際に、指先と第２電極の間に別のダミー電極が位置することとなり、本来、第２電極から指に到達すべき電気力線が、ダミー電極に入ってしまう。そのため、当該別のダミー電極と第２電極との間に寄生容量が発生して、タッチパネルのセンサ感度が低下してしまうおそれがあるという問題がある。【０００７】
本発明が解決しようとする課題は、視認性を向上しつつ、センサ感度を向上できる配線体、配線基板、及びタッチセンサを提供することである。
【課題を解決するための手段】
【０００８】
［１］本発明に係る配線体は、絶縁部と、前記絶縁部の一方の側に設けられ、第１の電極部を含む第１の導体部と、前記絶縁部の他方の側に設けられ、第２の電極部を含む第２の導体部と、を備え、前記第１の電極部は、相互に交差する複数の第１の細線を有し、前記第１の細線により形成される少なくとも一つの第１の格子を含んでおり、前記第２の電極部は、相互に交差する複数の第２の細線を有し、前記第２の細線により形成される少なくとも一つの第２の格子を含んでおり、前記第１の電極部と前記第２の電極部とを対向して配することで、透過平面視において、前記第１の電極部と前記第２の電極部とが部分的に重なる重複領域と、前記重複領域以外の非重複領域とが存在しており、透過平面視において、前記第１の電極部又は前記第２の電極部における前記重複領域での単位面積当たりの前記第１の細線及び前記第２の細線の占有面積が、前記非重複領域での単位面積当たりの前記第１の細線又は前記第２の細線の占有面積よりも大きく、前記第１の導体部は、前記第１の電極部と同一平面上に位置し、前記第１の電極部と電気的に絶縁された第１のダミー電極部を含み、前記第１のダミー電極部は、前記非重複領域において、少なくとも一つの前記第１の格子内に存在している配線体である。【０００９】
［２］上記発明において、前記第１の導体部又は前記第２の導体部は、前記第１の電極部又は前記第２の電極部と同一平面上に位置し、前記第１の電極部又は前記第２の電極部と電気的に絶縁された第２のダミー電極部を含み、透過平面視において、前記第２のダミー電極部は、前記非重複領域において、少なくとも一つの前記第２の格子内に存在していてもよい。【００１０】
［３］上記発明において、前記第１のダミー電極部は、相互に交差する方向に延在する複数の第３の細線を有し、前記重複領域内で前記第１の細線と前記第２の細線とが重なることで、複数の第３の格子が形成されており、前記非重複領域内で前記第１の細線と前記第３の細線とが組み合わさることで、複数の第４の格子が形成されており、前記第４の格子は、前記第３の格子と実質的に同一形状であってもよい。【００１１】
［４］上記発明において、前記第１のダミー電極部は、前記第３の細線同士の交点に形成された少なくとも一つの第１の断線部を含んでいてもよい。【００１２】
［５］上記発明において、前記第１の電極部において、第１の格子内に突き出た前記第１の細線は存在しておらず、前記第１のダミー電極部は、前記第１の細線と前記第３の細線との全ての交点に形成された第２の断線部を含んでいてもよい。【００１３】
［６］上記発明において、下記（１）式を満たしてもよい。
Ｓ１≦Ｌ／１０  …  （１）
但し、上記（１）式において、Ｓ１は前記第２の断線部における前記第１の細線と前記第３の細線との間隔であり、Ｌは前記第４の格子の一辺の長さである。【００１４】
［７］上記発明において、下記（２）式及び（３）式を満たしてもよい。
（Ｓ２−Ｓ３）×０．５／Ｈ≦１  …  （２）
Ｓ３＜５０μｍ  …  （３）
但し、上記（２）式及び（３）式において、Ｓ２は前記第２の断線部における前記第１の細線と前記第３の細線との最大間隔であり、Ｓ３は前記第２の断線部における前記第１の細線と前記第３の細線との最小間隔であり、Ｈは前記第３の細線の高さである。【００１５】
［８］上記発明において、前記非重複領域は、透過平面視において、前記第１の電極部と前記第２の電極部の両方と重ならない隙間領域を含み、前記第１の導体部及び前記第２の導体部の少なくとも一方は、前記第１の電極部又は前記第２の電極部と同一平面上に位置し、前記第１の電極部又は前記第２の電極部と電気的に絶縁された第３のダミー電極部を含み、前記第３のダミー電極部は、前記隙間領域内に存在していてもよい。【００１６】
［９］上記発明において、前記第３のダミー電極部は、相互に交差する方向に延在する複数の第５の細線を有し、前記第５の細線により形成される少なくとも一つの第５の格子を含んでおり、前記第５の格子は、前記第３の格子と実質的に同一形状であってもよい。【００１７】
［１０］上記発明において、前記第１の電極部は、平面視において略菱形形状を有し、前記第１の電極部の延在方向に並列された複数の第１の検知部と、隣り合う前記第１の検知部同士を接続する第１の接続部と、を含み、前記第２の電極部は、平面視において略菱形形状を有し、前記第２の電極部の延在方向に並列された複数の第２の検知部と、隣り合う前記第２の検知部同士を接続する第２の接続部と、を含み、前記第１の接続部及び前記第２の接続部は、前記重複領域に配されており、前記第１の検知部及び前記第２の検知部は、前記非重複領域に配されていてもよい。【００１８】
［１１］本発明に係る配線基板は、上記配線体と、前記配線体を支持する支持体と、を備える配線基板である。【００１９】
［１２］本発明に係るタッチセンサは、外部導体のタッチ位置を検出するタッチセンサであって、上記の本発明に係る配線基板を備え、前記第２の導体部は、前記外部導体と前記第１の導体部との間に介在するように配置されている。
【発明の効果】
【００２０】
本発明によれば、重複領域及び非重複領域間での遮光率差が小さくなると共に、接続部において回路抵抗が上昇し難く、且つ、電極部及びダミー電極部間で寄生容量が発生し難い。このため、視認性の向上を図りつつ、センサ感度の向上を図ることができる。
【図面の簡単な説明】
【００２１】
【図１】図１は、本発明の第１の実施の形態に係るタッチセンサを示す平面図である。
【図２】図２は、そのタッチセンサを示す分解斜視図である。
【図３】図３は、本発明の第１の実施の形態に係る第１の電極部と第２の電極部を示す透過平面図である。
【図４】図４は、本発明の第１の実施の形態に係る第１の電極部を示す平面図である。
【図５】図５は、図４のV-V線に沿った断面図である。
【図６】図６は、本発明の第１の実施の形態に係る第２の電極部を示す平面図である。
【図７】図７は、本発明の第１の実施の形態に係る第１の電極部と第２の電極部の重複領域を拡大した透過平面図である。
【図８】図８は、本発明の第１の実施の形態に係る第１の導体部を示す平面図である。
【図９】図９は、図８のIX部の部分拡大図である。
【図１０】図１０は、図９のX-X線に沿った断面図である。
【図１１】図１１は、本発明の第１の実施の形態に係る第１の電極部と第１のダミー電極部を示す平面図である。
【図１２】図１２は、本発明の第１の実施の形態に係る第２の導体部を示す平面図である。
【図１３】図１３は、図１２のXIII部の部分拡大図である。
【図１４】図１４は、比較例に係る第１の導体部と第２の導体部を示す透過平面図である。
【図１５】図１５は、本発明の第１の実施の形態に係る第１の導体部と第２の導体部を示す透過平面図である。
【図１６】図１６は、本発明の第２の実施の形態に係る第１の導体部と第１のダミー電極部を示す平面図である。
【図１７】図１７は、本発明の第２の実施の形態に係る第１の導体部を示す平面図である。
【図１８】図１８は、本発明の第２の実施の形態に係る第２の導体部を示す平面図である。
【図１９】図１９は、本発明の第２の実施の形態に係る第１の導体部と第２の導体部を示す透過平面図である。
【図２０】図２０は、本発明の第３の実施の形態に係る第１の導体部を示す平面図である。
【図２１】図２１は、本発明の第３の実施の形態に係る第２の導体部を示す平面図である。
【発明を実施するための形態】
【００２２】
以下、本発明の実施形態を図面に基づいて説明する。
【００２３】
<<第１実施形態>>
図１は本発明の第１の実施の形態に係るタッチセンサを示す平面図、図２はそのタッチセンサを示す分解斜視図である。なお、本実施形態のタッチセンサ１０を分かり易く説明するため、図１においては、第１の導体部６０を実線により表示した。
【００２４】
図１に示すタッチセンサ１０は、投影型の静電容量方式のタッチパネルセンサであり、例えば、表示装置（不図示）等と組み合わせて、タッチ位置を検出する機能を有する入力装置として用いられる。表示装置としては、特に限定されず、液晶ディスプレイ、有機ＥＬディスプレイ、電子ペーパ等を用いることができる。このタッチセンサ１０は、タッチセンサ１０の表示領域に配されて、相互に対向する検出電極と駆動電極（後述する第１の電極部６１及び第２の電極部８１）を有しており、この２つの電極の間には、外部回路（不図示）から所定電圧が周期的に印加されている。
【００２５】
このようなタッチセンサ１０では、例えば、操作者の指Ｆ（外部導体Ｆ）がタッチセンサ１０に接近すると、この外部導体Ｆとタッチセンサ１０との間でコンデンサ（電気容量）が形成され、２つの電極間の電気的な状態が変化する。タッチセンサ１０は、２つの電極間の電気的な変化に基づいて、操作者の操作位置を検出することができる。
【００２６】
タッチセンサ１０は、配線基板２０を備え、配線基板２０は、図２に示すように、支持体３０と、配線体４０と、を備えている。本実施形態の配線基板２０は、上記表示装置の視認性を確保するため、全体的に透明性（透光性）を有するように構成されている。
【００２７】
支持体３０は、矩形状の外形を有し、透明性を有する材料で構成されている。この支持体３０を構成する材料としては、例えば、ポリエチレンテレフタレート（ＰＥＴ）、ポリエチレンナフタレート（ＰＥＮ）、ポリイミド樹脂（ＰＩ）、ポリエーテルイミド樹脂（ＰＥＩ）、ポリカーボネート（ＰＣ）、ポリエーテルエーテルケトン（ＰＥＥＫ）、液晶ポリマー（ＬＣＰ）、シクロオレフィンポリマー（ＣＯＰ）、シリコーン樹脂（ＳＩ）、アクリル樹脂、フェノール樹脂、エポキシ樹脂、グリーンシート、ガラス等を用いることができる。この支持体３０には、配線体４０が貼り付けられており、支持体３０によって配線体４０が支持されている。この場合、支持体３０は、配線体４０を支持できる程度の剛性を有していることが好ましい。
【００２８】
配線体４０は、図２に示すように、第１の樹脂部５０と、第１の導体部６０と、第２の樹脂部７０と、第２の導体部８０と、第３の樹脂部９０と、を備えている。この配線体４０は、上記表示装置の視認性を確保するために、全体的に透明性（透光性）を有するように構成されている。
【００２９】
第１の樹脂部５０は、矩形状の外形を有し、透明性を有する樹脂材料で構成されている。この透明性を有する樹脂材料としては、例えば、エポキシ樹脂、アクリル樹脂、ポリエステル樹脂、ウレタン樹脂、ビニル樹脂、シリコーン樹脂、フェノール樹脂、ポリイミド樹脂等のＵＶ硬化性樹脂、熱硬化性樹脂又は熱可塑性樹脂等を例示することができる。この第１の樹脂部５０の下面が、支持体３０に貼り付けられている。
【００３０】
第１の導体部６０は、第１の樹脂部５０の上面に設けられており、第１の樹脂部５０によって保持されている。この第１の導体部６０は、複数の第１の電極部６１と、複数の第１の引出配線６２と、を含んでいる。
【００３１】
それぞれの第１の電極部６１は、図中Ｘ方向に延在しており、複数の第１の電極部６１は、図中Ｙ方向に並列されている。それぞれの第１の電極部６１は、複数の第１の検知部６１３と、複数の第１の接続部６１４と、を含んでいる。第１の検知部６１３は、平面視において略菱形形状を有している。複数の第１の検知部６１３は、第１の電極部６１の延在方向に並列されている。第１の接続部６１４は、隣り合う第１の検知部６１３，６１３同士を電気的に接続している。
【００３２】
それぞれの第１の電極部６１の長手方向一端には第１の引出配線６２の一端が接続されている。それぞれの第１の引出配線６２の他端は、配線体４０の縁部まで延びている。この第１の引出配線６２の他端が、外部回路と接続される。なお、第１の電極部６１の数は、特に限定されず、任意に設定することができる。また、第１の引出配線６２の数は、第１の電極部６１の数に応じて設定される。
【００３３】
第１の導体部６０は、導電性材料（導電性粒子）と、バインダ樹脂と、から構成されている。導電性材料としては、銀や銅、ニッケル、スズ、ビスマス、亜鉛、インジウム、パラジウム等の金属材料や、グラファイト、カーボンブラック（ファーネスブラック、アセチレンブラック、ケッチェンブラック）、カーボンナノチューブ、カーボンナノファイバ等のカーボン系材料を挙げることができる。なお、導電性材料として、金属塩を用いてもよい。金属塩としては、上述の金属の塩を挙げることができる。バインダ樹脂としては、アクリル樹脂、ポリエステル樹脂、エポキシ樹脂、ビニル樹脂、ウレタン樹脂、フェノール樹脂、ポリイミド樹脂、シリコーン樹脂、フッ素樹脂等を例示することができる。このような第１の導体部６０は、導電性ペーストを塗布して硬化させることで形成されている。このような導電性ペーストの具体例としては、上述の導電性材料及びバインダ樹脂を、水、もしくは溶剤、及び各種添加剤に混合して構成される導電性ペーストを例示することができる。導電性ペーストに含まれる溶剤としては、α-テルピネオール、ブチルカルビトールアセテート、ブチルカルビトール、１−デカノール、ブチルセルソルブ、ジエチレングリコールモノエチルエーテルアセテート、テトラデカン等を例示することができる。なお、第１の導体部６０を構成する材料からバインダ樹脂を省略してもよい。
【００３４】
第２の樹脂部７０は、矩形状の外形を有し、透明性を有する樹脂材料で構成されている。この透明性を有する樹脂材料としては、例えば、上記の第１の樹脂部５０を構成する樹脂材料と同様の材料を用いることができる。
【００３５】
第２の樹脂部７０は、第１の導体部６０を覆うように第１の樹脂部５０上に設けられている。この第２の樹脂部７０には、開口部７１が形成されており、この開口部７１からは、第１の引出配線６２の他端が露出している。
【００３６】
第２の導体部８０は、第２の樹脂部７０の上面に設けられている。この第２の導体部８０は、複数の第２の電極部８１と、複数の第２の引出配線８２と、を含んでいる。それぞれの第２の電極部８１は、図中Ｙ方向に延在しており、複数の第２の電極部８１は図中Ｘ方向に並列されている。それぞれの第２の電極部８１は、複数の第２の検知部８１３と、複数の第２の接続部８１４と、を含んでいる。第２の検知部８１３は、平面視において略菱形形状を有している。複数の第２の検知部８１３は、第２の電極部８１の延在方向に並列されている。第２の接続部８１４は、隣り合う第２の検知部８１３，８１３同士を電気的に接続している。
【００３７】
それぞれの第２の電極部８１の長手方向一端には第２の引出配線８２の一端が接続されている。それぞれの第２の引出配線８２の他端は、配線体４０の縁部まで延びている。この第２の引出配線８２の他端が、外部回路と接続される。なお、第２の電極部８１の数は、特に限定されず、任意に設定することができる。また、第２の引出配線８２の数は、第２の電極部８１の数に応じて設定される。
【００３８】
第２の導体部８０は、第１の導体部６０と同様、導電性材料（導電性粒子）と、バインダ樹脂とから構成されている。このような第２の導体部８０も、第１の導体部６０と同様、導電性ペーストを塗布して硬化させることで形成されている。
【００３９】
第３の樹脂部９０は、矩形状の外形を有し、透明性を有する樹脂材料で構成されている。この透明性を有する樹脂材料としては、例えば、上記の第１の樹脂部５０を構成する樹脂材料と同様の樹脂材料を用いることができる。
【００４０】
第３の樹脂部９０は、第２の導体部８０を覆うように第２の樹脂部７０上に設けられている。この第３の樹脂部９０には、開口部９１が形成されており、この開口部９１からは、第２の引出配線８２の他端が露出している。また、開口部９１は、開口部７１と重なっており、この場合、開口部９１からは、第１の引出配線６２の他端も露出している。本実施形態では、図２に示すように、この第３の樹脂部９０に外部導体Ｆ（指Ｆ）が接触しているが、特にこれに限定されず、タッチセンサ１０が、外部導体Ｆが接触する面を備えていればよい。例えば、樹脂部材９０の上にカバーガラスを積層して、このカバーガラスに指が接触してもよい。
【００４１】
次に第１の導体部６０及び第２の導体部８０の構成について、図３〜１１を参照しながら、より詳細に説明する。図３は本発明の第１の実施の形態に係る第１の電極部と第２の電極部を示す透過平面図、図４は本発明の第１の実施の形態に係る第１の電極部を示す平面図、図５は図４のV-V線に沿った断面図、図６は本発明の第１の実施の形態に係る第２の電極部を示す平面図、図７は本発明の第１の実施の形態に係る第１の電極部と第２の電極部の重複領域を拡大した透過平面図、図８は本発明の第１の実施の形態に係る第１の導体部を示す平面図、図９は図８のIX部の部分拡大図、図１０は図９のX-X線に沿った断面図、図１１は本発明の第１の実施の形態に係る第１の電極部と第１のダミー電極部を示す平面図、図１２は本発明の第１の実施の形態に係る第２の導体部を示す平面図、図１３は図１２のXIII部の部分拡大図である。なお、図９及び図１１において、一点鎖線の円に囲まれた箇所が第２の断線部６３４（後述）を示している。また、図１３において、一点鎖線の矩形枠に囲まれた箇所が第４の断線部８３４（後述）を示している。
【００４２】
図１及び図２に示すように、配線体４０では、第２の樹脂部７０の一方の側に第１の導体部６０が配され、第２の樹脂部７０の他方の側に第２の導体部８０が配されている。第２の導体部８０は、第１の導体部６０よりも、外部導体Ｆが接触する側に近い位置に配設されている。つまり、第１導電部６０が表示装置側に位置し、第２導電部８０が操作者側（外部導体Ｆが接触する面側）に位置する。また、第１の電極部６１と第２の電極部８１とは、第２の樹脂部７０を介して対向している。この場合、配線体４０には、図３に示すように、透過平面視において、第１の電極部６１と第２の電極部８１とが部分的に重なる領域（以下、「重複領域４１」とも称する。）が存在している。
【００４３】
本実施形態では、第１の接続部６１４及び第２の接続部８１４が重複領域４１に配されている（すなわち、第１の接続部６１４及び第２の接続部８１４は、透過平面視において重なっている。）。また、第１の検知部６１３及び第２の検知部８１３が第１の電極部６１又は第２の電極部８１の重複領域４１以外の領域（以下、「非重複領域４２」とも称する。）に配されている（すなわち、第１の検知部６１３及び第２の検知部８１３は、透過平面視において重ならないようになっている。）。
【００４４】
第１の電極部６１は、図４に示すように、複数の直線状の第１の細線６１１ａ，６１１ｂを有している。以下の説明では、必要に応じて、第１の細線６１１ａ，６１１ｂを第１の細線６１１と総称する。
【００４５】
この第１の細線６１１は、図５に示すように、第１の樹脂部５０の上面から突出している。第１の細線６１１は、当該第１の細線６１１の幅方向に切断した断面を視た場合に、第１の樹脂部５０から離れるに従い、次第に幅狭となるテーパ形状を有している。この第１の細線６１１において、第１の樹脂部５０と接触する部分は、第２の樹脂部７０と接触する部分に対して相対的に粗くなっている。具体的には、第１の樹脂部５０と接触する部分の面粗さＲａは、０．１μｍ〜３μｍであるのに対して、第２の樹脂部７０と接触する部分の面粗さＲａは、０．００１μｍ〜１．０μｍとなっている。なお、このような面粗さＲａは、ＪＩＳ法（ＪＩＳ  Ｂ０６０１（２０１３年３月２１日改正））に定義される「算術平均粗さＲａ」のことを言う。
【００４６】
図４に戻り、複数の第１の細線６１１ａは、第１の電極部６１の延在方向に対して交差する方向（以下、「第１の方向」とも称する。）に延在しており、この第１の方向に対して直交する方向（以下、「第２の方向」とも称する。）にピッチＰで並べられている。複数の第１の細線６１１ｂは、第２の方向に延在しており、ピッチＰと同じピッチで第１の方向に並べられている。この複数の第１の細線６１１ａ，６１１ｂが相互に直交することで、複数の第１の細線６１１ａ，６１１ｂにより形成された菱形状の第１の格子６１２が第１の電極部６１の全体に繰り返し配列されている。なお、本明細書において、細線のピッチとは、隣り合う細線同士の中心間距離のことを言う。
【００４７】
本実施形態の第１の電極部６１では、第１の格子６１２内に突き出た第１の細線６１１は存在していない。また、第１の電極部６１の輪郭から突き出た第１の細線６１１も存在していない。この場合、全ての第１の細線６１１の端部は、他の第１の細線６１１の端部と接することで閉じており、全ての第１の細線６１１は、第１の格子６１２の少なくとも一部を形成している。また、第１の電極部６１において、第１の細線６１１の幅及びピッチは一様となっている。このため、第１の検知部６１３及び第１の接続部６１４間で、これらを構成する第１の細線６１１の幅及びピッチは変わらない。
【００４８】
第２の電極部８１は、図６に示すように、複数の直線状の第２の細線８１１ａ，８１１ｂを有している。この第２の細線８１１ａ，８１１ｂは、第１の細線６１１と同一の形状とされている。複数の第２の細線８１１ａは、第１の細線６１１ａと同じ第１の方向に延在しており、ピッチＰと同じピッチで第２の方向に並べられている。複数の第２の細線８１１ｂは、第１の細線６１１ｂと同じ第２の方向に延在しており、ピッチＰと同じピッチで第１の方向に並べられている。この複数の第２の細線８１１ａ，８１１ｂが相互に直交することで、複数の第２の細線８１１ａ，８１１ｂにより形成された菱形状の第２の格子８１２が第２の電極部８１の全体に繰り返し配列されている。この第２の格子８１２は、第１の格子６１２と実質的に同一形状とされている。なお、以下の説明では、必要に応じて、第２の細線８１１ａ，８１１ｂを第２の細線８１１と総称する。
【００４９】
本実施形態の第２の電極部８１では、第２の格子８１２内に突き出た第２の細線８１１は存在していない。また、第２の電極部８１の輪郭から突き出た第２の細線８１１も存在していない。この場合、全ての第２の細線８１１の端部は、他の第２の細線８１１の端部と接することで閉じており、全ての第２の細線８１１は、第２の格子８１２の少なくとも一部を形成している。また、第２の電極部８１において、第２の細線８１１の幅及びピッチは一様となっている。このため、第２の検知部８１３及び第２の接続部８１４間で、これらを構成する第２の細線８１１の幅及びピッチは変わらない。
【００５０】
それぞれの第２の細線８１１ａは、図７に示すように、透過平面視において、隣接する第１の細線６１１ａに対して第２の方向にピッチＰの半分だけずれて配されている。また、それぞれの第２の細線８１１ｂは、透過平面視において、隣接する第１の細線６１１ｂに対して第１の方向にピッチＰの半分だけずれて配されている。これにより、透過平面視において、重複領域４１内で第１の細線６１１と第２の細線８１１とが交差するように重なることで、第１の格子６１２及び第２の格子８１２と相似形状とされた複数の菱形状の第３の格子４４が形成されている。
【００５１】
この場合、図７に示すように、透過平面視において、第１の電極部６１における重複領域４１での単位面積当たりの第１の細線６１１及び第２の細線８１１の占有面積が、非重複領域４２での第１の細線６１１の占有面積よりも大きくなっている。同様に、透過平面視において、第２の電極部８１における重複領域４１での単位面積当たりの第１の細線６１１及び第２の細線８１１の占有面積が、非重複領域４２での第２の細線８１１の占有面積よりも大きくなっている。
【００５２】
第１の導体部６０は、図８及び図９に示すように、第１のダミー電極部６３を含んでいる。第１のダミー電極部６３は、第１の電極部６１と同一平面上に位置している。この第１のダミー電極部６３は、複数の直線状の第３の細線６３１ａ，６３１ｂを有している。この第３の細線６３１ａ，６３１ｂは、第１の細線６１１と同一の形状とされている。第３の細線６３１ａは、第１の細線６１１ａと同じ第１の方向に延在しており、ピッチＰと同じピッチで第２の方向に並べられている。第３の細線６３１ｂは、第１の細線６１１ｂと同じ第２の方向に延在しており、ピッチＰと同じピッチで第１の方向に並べられている。なお、以下の説明では、必要に応じて、第３の細線６３１ａ，６３１ｂを第３の細線６３１と総称する。
【００５３】
第１のダミー電極部６３は、第１の細線６１１と第３の細線６３１との全ての交点６０１（厳密には、第１の細線６１１と第３の細線６３１の延長線との交点６０１）に、当該第３の細線６３１が未形成とされた第２の断線部６３４を含んでいる。この第２の断線部６３４によって、第１の電極部６１と第１のダミー電極部６３とが電気的に絶縁されている。
【００５４】
図１０に示すように、第３の細線６３１の端面６３１１は、第２の断線部６３４を介して第１の細線６１１に面している。この端面６３１１は、第１の樹脂部５０から離れるに従い第１の細線６１１から離れるように傾斜している。この場合、第２の断線部６３４において、第１の細線６１１と第３の細線６３１との間隔は、これら第１の細線６１１及び第３の細線６３１の下端（第１の樹脂部５０に最も近い側）で最も小さくなり、第１の細線６１１及び第３の細線６３１の上端（第１の樹脂部５０から最も遠い側）で最も大きくなる。
【００５５】
本実施形態では、一つの第２の断線部６３４において、第１の細線６１１と第３の細線６３１との最大間隔Ｓ２と、第１の細線６１１と第３の細線６３１との最小間隔Ｓ３と、第３の細線６３１の高さＨとの関係が、下記（４）式及び（５）式を満たしていることが好ましい。
（Ｓ２−Ｓ３）×０．５／Ｈ≦１  …  （４）
Ｓ３＜５０μｍ  …  （５）
【００５６】
第１のダミー電極部６３は、図９に示すように、非重複領域４２において、第１の電極部６１の第１の格子６１２内に存在している。本実施形態では、第２の断線部６３４によって分断された個々の第３の細線６３１ａ，６３１ｂにより形成された十字状パターンが、第１のダミー電極部６３として、第１の検知部６１３を構成する全ての第１の格子６１２内に存在している。また、第１の検知部６１３と第１の接続部６１４との境界に位置する第１の格子６１２内には、第１のダミー電極部６３として、第２の断線部６３４によって分断された個々の第３の細線６３１ａ，６３１ｂにより形成されたＬ字状パターンが存在している。
【００５７】
それぞれの第３の細線６３１ａは、平面視において、隣接する第１の細線６１１ａに対して第２の方向にピッチＰの半分だけずれて配されている。また、それぞれの第３の細線６３１ｂは、平面視において、隣接する第１の細線６１１ｂに対して第１の方向にピッチＰの半分だけずれて配されている。これにより、平面視において、非重複領域４２内で第１の細線６１１と第３の細線６３１（厳密には、第３の細線６３１の延長線）とが組み合わさることで、第１の格子６１２と相似形状とされた複数の菱形状の第４の格子６０２が形成されている。この第４の格子６０２は、第３の格子４４（図７参照）と実質的に同一形状とされている。
【００５８】
また、本実施形態では、図１１に示すように、第２の断線部６３４における第１の細線６１１と第３の細線６３１との間隔Ｓ１と、第４の格子６０２の一辺の長さＬとの関係が、下記（６）式を満たしていることが好ましい。なお、間隔Ｓ１は一つの第２の断線部６３４における第１の細線６１１と第３の細線６３１との間隔の平均値を言う。また、長さＬは第１の細線と当該第１の細線と隣り合う第３の細線との中心間距離を言う。
Ｓ１≦Ｌ／１０  …  （６）
【００５９】
第２の導体部８０は、図１２及び図１３に示すように、第２のダミー電極部８３を含んでいる。第２のダミー電極部８３は、第２の電極部８１と同一平面上に位置している。この第２のダミー電極部８３は、複数の直線状の第４の細線８３１ａ，８３１ｂを有している。この第４の細線８３１ａ，８３１ｂは、第２の細線８１１と同一の形状とされている。第４の細線８３１ａは、第１の細線６１１ａと同じ第１の方向に延在しており、ピッチＰと同じピッチで第２の方向に並べられている。第４の細線８３１ｂは、第１の細線６１１ｂと同じ第２の方向に延在しており、ピッチＰと同じピッチで第１の方向に並べられている。なお、以下の説明では、必要に応じて、第４の細線８３１ａ，８３１ｂを第４の細線８３１と総称する。
【００６０】
第２のダミー電極部８３は、第２の細線８１１と第４の細線８３１との全ての交点８０１（厳密には、第２の細線８１１と第４の細線８３１の延長線との交点８０１）に、当該第４の細線８３１が未形成とされた第４の断線部８３４を含んでいる。この第４の断線部８３４によって、第２の電極部８１と第２のダミー電極部８３とが電気的に絶縁されている。
【００６１】
第２のダミー電極部８３は、非重複領域４２において、第２の電極部８１の第２の格子８１２内に存在している。本実施形態では、第４の断線部８３４によって分断された個々の第４の細線８３１ａ，８３１ｂにより形成された十字状パターンが、第２のダミー電極部８３として、第２の検知部８１３を構成する全ての第２の格子８１２内に存在している。また、第２の検知部８１３と第２の接続部８１４との境界に位置する第２の格子８１２内には、第２のダミー電極部８３として、第４の断線部８３４によって分断された個々の第４の細線８３１ａ，８３１ｂにより形成されたＬ字状パターンが存在している。
【００６２】
それぞれの第４の細線８３１ａは、平面視において、隣接する第２の細線８１１ａに対して第２の方向にピッチＰの半分だけずれて配されている。また、それぞれの第４の細線８３１ｂは、平面視において、隣接する第２の細線８１１ｂに対して第１の方向にピッチＰの半分だけずれて配されている。これにより、平面視において、非重複領域４２内で第２の細線８１１と第４の細線８３１（厳密には、第４の細線８３１の延長線）とが組み合わさることで、第２の格子８１２と相似形状とされた複数の菱形状の第６の格子８０２が形成されている。この第６の格子８０２は、第３の格子４４（図７参照）と実質的に同一形状とされている。
【００６３】
非重複領域４２は、図３に示すように、透過平面視において、第１の電極部６１と第２の電極部８１と間に、これら第１の電極部６１及び第２の電極部８１の両方と重ならない領域（以下、隙間領域４３とも称する。）を含んでいる。この隙間領域４３内には、第３のダミー電極部６４が存在している。
【００６４】
本実施形態の第３のダミー電極部６４は、図８及び図９に示すように、第１の導体部６０に含まれている。この場合、第３のダミー電極部６４は、第１の電極部６１と同一平面上に位置している。第１の電極部６１と第３のダミー電極部６４とは、相互に離間しており、これにより、第１の電極部６１と第３のダミー電極部６４とが電気的に絶縁されている。
【００６５】
この第３のダミー電極部６４は、複数の直線状の第５の細線６４１ａ，６４１ｂを有している。この第５の細線６４１ａ，６４１ｂは、第１の細線６１１と同一の形状とされている。第５の細線６４１ａは、第１の細線６１１と同じ第１の方向に延在しており、ピッチＰの半分のピッチで第２の方向に並べられている。第５の細線６４１ｂは、第１の細線６１１ｂと同じ第２の方向に延在しており、ピッチＰの半分のピッチで第１の方向に並べられている。この複数の第５の細線６４１ａ，６４１ｂが相互に直交することで、複数の第５の細線６４１ａ，６４１ｂにより形成された菱形状の第５の格子６４２が第３のダミー電極部６４の全体に繰り返し配列されている。この第５の格子６４２は、第３の格子４４（図７参照）と実質的に同一形状とされている。なお、以下の説明では、必要に応じて、第５の細線６４１ａ，６４１ｂを第５の細線６４１と総称する。
【００６６】
本実施形態の配線体４０は、以下の効果を奏する。図１４は比較例に係る第１の導体部と第２の導体部を示す透過平面図、図１５は本発明の第１の実施の形態に係る第１の導体部と第２の導体部を示す透過平面図である。
【００６７】
図１４に示す比較例に係る配線体４００では、第１の電極部６１０において、第１の検知部６１３０及び第１の接続部６１４０間で、これらを構成する第１の細線６１１０の幅及びピッチが変わらない。また、第２の電極部８１０では、第２の検知部８１３０及び第２の接続部８１４０間で、これらを構成する第２の細線８１１０の幅及びピッチが変わらない。このため、透過平面視において、第１の電極部６１０における重複領域４１０での単位面積当たりの第１の細線６１１０及び第２の細線８１１０の占有面積が、非重複領域４２０での第１の細線６１１０の占有面積よりも大きくなる。この場合、重複領域４１０及び非重複領域４２０間で遮光率に差が生じてしまうため、配線体４００の視認性が低下するおそれがある。
【００６８】
これに対し、本実施形態では、第１のダミー電極部６３を第１の電極部６１と同一平面上に位置させて、この第１のダミー電極部６３を、非重複領域４２において第１の格子６１２内に存在させている。これにより、重複領域４１及び非重複領域４２間での遮光率差が小さくなるので、配線体４０の視認性が向上する。さらに、本実施形態では、第１の検知部６１３及び第１の接続部６１４の間で、第１の細線６１１の幅及びピッチが変わらないので、第１の接続部６１４での導通経路の減少が生じ難い。また、第１のダミー電極部６３が第１の電極部６１と同一平面上に位置していることで、これら第１の電極部６１と第１のダミー電極部６３との間で寄生容量が発生し難い。これにより、配線体４０のセンサ感度を向上させることができる。
【００６９】
また、本実施形態では、第２の導体部８０も、第２の電極部８１と同一平面上に位置し、非重複領域４２において第２の格子８１２内に存在する第２のダミー電極部８３を含んでいる。これにより、第２の導体部８０においても、上述の第１の導体部６０で得られる作用・効果と同様の作用・効果を得ることができる。
【００７０】
また、本実施形態では、重複領域４１内で第１の細線６１１と第２の細線８１１とが重なることで、複数の第３の格子４４が形成され、非重複領域４２内で第１の細線６１１と第３の細線６３１とが組み合わさることで、複数の第４の格子６０２が形成されており、この第４の格子６０２が第３の格子４４と実質的に同一形状となっている。これにより、第１の電極部６１において、重複領域４１から非重複領域４２に亘り、見た目上、同一形状とされた第３の格子４４及び第４の格子６０２が繰り返し配列される均一な導体パターンが形成される。この結果、配線体４０の視認性をさらに向上させることができる。
【００７１】
また、本実施形態では、非重複領域４２内で第２の細線８１１と第４の細線８３１とが組み合わさることで、複数の第６の格子８０２が形成されており、この第６の格子８０２が第３の格子４４と実質的に同一形状となっている。これにより、第２の電極部８１において、重複領域４１から非重複領域４２に亘り、見た目上、同一形状とされた第３の格子４４及び第６の格子８０２が繰り返し配列される均一な導体パターンが形成される。この結果、配線体４０の視認性をさらに向上させることができる。
【００７２】
また、本実施形態では、全ての第１の細線６１１が、第１の格子６１２の少なくとも一部を形成しており、第１のダミー電極部６３が、第１の細線６１１と第３の細線６３１との全ての交点６０１に形成された第２の断線部６３４を含んでおり、上記（６）式が成立している。これにより、第１の電極部６１と第１のダミー電極部６３とをより確実に電気的に絶縁できると共に、第２の断線部６３４を目立たなくすることができる。この結果、配線体４０の視認性をさらに向上させると共に、配線体４０のセンサ感度をさらに向上させることができる。
【００７３】
また、本実施形態では、さらに上記（４）式及び（５）式が成立していることで、端面６３１１が切り立った形状となるので、第３の細線６３１の端面６３１１に電荷が誘起され難くなる。これにより、第１の電極部６１と第１のダミー電極部６３とが短絡するのを抑制することができる。また、第２の断線部６３４をさらに目立たなくすることができる。この結果、配線体４０の視認性をさらに向上させると共に、配線体４０のセンサ感度をさらに向上させることができる。
【００７４】
また、本実施形態では、第１の電極部６１と同一平面上に位置し、第１の電極部６１と電気的に絶縁された第３のダミー電極部６４を、隙間領域４３に存在させていることで、第１の電極部６１及び第２の電極部８１の少なくとも一方が存在する領域と、第１の電極部６１及び第２の電極部８１の何れもが存在しない領域（すなわち、隙間領域４３）との間での遮光率差が小さくなるので、配線体４０の視認性をさらに向上させることができる。
【００７５】
また、本実施形態では、第３のダミー電極部６４に含まれる第５の格子６４２が、第３の格子４４と実質的に同一形状とされていることで、図１５に示すように、配線体４０の表示領域の全体に亘り、見た目上、同一形状とされた第３の格子４４、第４の格子６０２、第５の格子６４２、及び第６の格子８０２が繰り返し配列される均一な導体パターンが形成される。これにより、配線体４０の視認性をさらに向上させることができる。
【００７６】
また、本実施形態では、第１の導体部６０及び第２の導体部８０に含まれる第１の細線６１１、第２の細線８１１、第３の細線６３１、第４の細線８３１、及び第５の細線６４１が同一形状とされ、これら細線の比較的粗い部分が、配線体４０の同じ側に配されている。このため、タッチセンサ１０の表示領域において、導体パターンの色味が揃うので、タッチセンサ１０の視認性がさらに向上する。
【００７７】
また、本実施形態では、第１の電極部６１の輪郭から突き出た第１の細線６１１が存在していない。この場合、全ての第１の細線６１１の端部は、他の第１の細線６１１の端部と接することで閉じている。このため、第１の電極部６１の輪郭が明確となり、平面視において、第２の電極部８１との間に明確にスペースが形成されるので、配線体４０のセンサ感度を向上させることができる。また、本実施形態では、第２の電極部８１の輪郭から突き出た第２の細線８１１も存在していない。この場合、全ての第２の細線８１１の端部は、他の第２の細線８１１の端部と接することで閉じている。このため、第２の電極部８１の輪郭が明確となり、平面視において、第１の電極部６１との間に明確にスペースが形成されるので、配線体４０のセンサ感度をさらに向上させることができる。
【００７８】
本実施形態における「タッチセンサ１０」が本発明における「タッチセンサ」の一例に相当し、本実施形態における「配線基板２０」が本発明における「配線基板」の一例に相当し、本実施形態における「支持体３０」が本発明における「支持体」の一例に相当し、本実施形態における「配線体４０」が本発明における「配線体」の一例に相当し、本実施形態における「第２の樹脂部７０」が本発明における「絶縁部」の一例に相当し、本実施形態における「第１の導体部６０」が本発明における「第１の導体部」の一例に相当し、本実施形態における「第２の導体部８０」が本発明における「第２の導体部」の一例に相当し、本実施形態における「第１の電極部６１」が本発明における「第１の電極部」の一例に相当し、本実施形態における「第１の検知部６１３」が本発明における「第１の検知部」の一例に相当し、本実施形態における「第１の接続部６１４」が本発明における「第１の接続部」の一例に相当し、本実施形態における「第１の細線６１１」が本発明における「第１の細線」の一例に相当し、本実施形態における「第１の格子６１２」が本発明における「第１の格子」の一例に相当し、本実施形態における「第２の電極部８１」が本発明における「第２の電極部」の一例に相当し、本実施形態における「第２の検知部８１３」が本発明における「第２の検知部」の一例に相当し、本実施形態における「第２の接続部８１４」が本発明における「第２の接続部」の一例に相当し、本実施形態における「第２の細線８１１」が本発明における「第２の細線」の一例に相当し、本実施形態における「第２の格子８１２」が本発明における「第２の格子」の一例に相当し、本実施形態における「第３の格子４４」が本発明における「第３の格子」の一例に相当し、本実施形態における「重複領域４１」が本発明における「重複領域」の一例に相当し、本実施形態における「非重複領域４２」が本発明における「非重複領域」の一例に相当する。
【００７９】
また、本実施形態における「第１のダミー電極部６３」が本発明における「第１のダミー電極部」の一例に相当し、本実施形態における「第３の細線６３１」が本発明における「第３の細線」の一例に相当し、本実施形態における「第２の断線部６３４」が本発明における「第２の断線部」の一例に相当し、本実施形態における「第４の格子６０２」が本発明における「第４の格子」の一例に相当し、本実施形態における「第２のダミー電極部８３」が本発明における「第２のダミー電極部」の一例に相当する。
【００８０】
また、本実施形態における「隙間領域４３」が本発明における「隙間領域」の一例に相当し、本実施形態における「第３のダミー電極部６４」が本発明における「第３のダミー電極部」の一例に相当し、本実施形態における「第５の細線６４１」が本発明における「第５の格子６４２」が本発明における「第５の格子」の一例に相当する。
【００８１】
<<第２実施形態>>
図１６は、本発明の第２の実施の形態に係る第１の導体部と第１のダミー電極部を示す平面図である。なお、上述の実施形態と同様の構成には同一の符号を付し、繰り返しの説明は省略して、上述の実施形態においてした説明を援用する。また、図１６において、一点鎖線の菱形枠に囲まれた箇所が第１の断線部６３３（後述）を示している。
【００８２】
図１６に係る第１の導体部６０Ｂでは、第１のダミー電極部６３Ｂは、第３の細線６３１同士の交点６３２（厳密には、第３の細線６３１ａの延長線と第３の細線６３１ｂの延長線との交点６３２）に形成された第１の断線部６３３を含んでいる。この第１の断線部６３３によって、第３の細線６３１が個々に分割されて小さくなるため、第３の細線６３１に電荷が誘起され難くなる。これにより、配線体４０Ｂのセンサ感度をさらに向上させることができる。また、第３の細線６３１に電荷が誘起され難くなることで、第１の細線６１１と第３の細線６３１とが短絡するのを抑えることができる。この結果、配線体４０Ｂのセンサ感度をさらに向上させることができる。
【００８３】
なお、第２のダミー電極部８３Ｂにおいても、第１のダミー電極部６３Ｂと同様、第４の細線８３１同士の交点８３２に形成された第３の断線部８３３を含んでいてもよい。これにより、配線体４０Ｂのセンサ感度をさらに向上させることができる。なお、第１の導体部６０Ｂと第２の導体部８０Ｂは、多少の相違はあるが、基本的な構成は同じであるため、図１６においては第１の導体部６０Ｂを図示し、第２の導体部８０Ｂについては、括弧内に対応する符号を付し図示を省略する。
【００８４】
本実施形態における「第１の断線部６３３」が本発明における「第１の断線部」の一例に相当する。
【００８５】
図１７は本発明の第２の実施の形態に係る第１の導体部を示す平面図、図１８は本発明の第２の実施の形態に係る第２の導体部を示す平面図、図１９は本発明の第２の実施の形態に係る第１の導体部と第２の導体部を示す透過平面図である。なお、上述の実施形態と同様の構成には同一の符号を付し、繰り返しの説明は省略して、上述の実施形態においてした説明を援用する。また、図１７では、本実施形態の第３のダミー電極部６４Ｃを分かり易く説明するため、第１の電極部６１の輪郭のみを図示し、第１の電極部６１及び第１のダミー電極部６３の詳細の図示を省略する。同様に、図１８では、本実施形態の第４のダミー電極部８４を分かり易く説明するため、第２の電極部８１の輪郭のみを図示し、第２の電極部８１及び第２のダミー電極部８３の詳細の図示を省略する。
【００８６】
図１７に係る第１の導体部６０Ｃは、第３のダミー電極部６４Ｃを含んでいる。この第３のダミー電極部６４Ｃは、複数の直線状の第５の細線６４１を有している。また、図１８に係る第２の導体部８０Ｃは、第２の電極部８１と電気的に絶縁された第４のダミー電極部８４を含んでいる。第４のダミー電極部８４は、第２の電極部８１と同一平面上に位置しており、隙間領域４３内に存在している。この第４のダミー電極部８４は、複数の直線状の第６の細線８４１を有している。
【００８７】
複数の第５の細線６４１は、第１の方向及び第２の方向に延在しており、ピッチＰと同じピッチで並べられている。複数の第６の細線８４１も、第１の方向及び第２の方向に延在しており、ピッチＰと同じピッチで並べられている。第５の細線６４１及び第６の細線８４１は、透過平面視において、互いに重ならないように配されている。
【００８８】
本実施形態では、図１９に示すように、透過平面視において、隙間領域４３内で第５の細線６４１（厳密には、第５の細線６４１の延長線）と第６の細線８４１（厳密には、第６の細線８４１の延長線）とが組み合わさることで、第３の格子４４と実質的に同一形状とされた複数の菱形状の第７の格子４５が形成されている。
【００８９】
このように、本実施形態でも、上述の実施形態と同様、第１の電極部６１及び第２の電極部８１の少なくとも一方が存在する領域と、第１の電極部６１及び第２の電極部８１の何れもが存在しない領域（すなわち、隙間領域４３）との間での遮光率差が小さくなるので、配線体４０Ｃの視認性をさらに向上させることができる。これにより、配線体４０Ｃの表示領域の全体に亘り、見た目上、同一形状とされた第３の格子４４、第４の格子６０２、第６の格子８０２、及び第７の格子４５が繰り返し配列される均一な導体パターンが形成されるので、配線体４０Ｃの視認性を向上させることができる。
【００９０】
本実施形態における「第３のダミー電極部６４」及び「第４のダミー電極部８４」が本発明における「第３のダミー電極部」の一例に相当し、本実施形態における「第５の細線６４１」及び「第６の細線８４１」が本発明における「第５の細線」の一例に相当し、本実施形態における「第７の格子４５」が本発明における「第５の格子」の一例に相当する。
【００９１】
<<第３実施形態>>
図２０は、本発明の第３の実施の形態に係る第１の導体部を示す平面図であり、図２１は、本発明の第３の実施の形態に係る第２の導体部を示す平面図である。本実施形態では、第１の導体部６０Ｄ及び第２の導体部８０Ｄの構成が第１の実施の形態と相違するが、それ以外の構成は第１の実施の形態と同様である。以下に、第３の実施の形態における第１の導体部６０Ｄについて第１の実施の形態との相違点についてのみ説明し、第１の実施の形態と同様の構成である部分については同一符号を付して説明を省略する。
【００９２】
図２０に示すように、第１の導体部６０Ｄは、第１の電極部６１、第１のダミー電極部６３、第３のダミー電極部６４に加えて、さらに、第２のダミー電極部８３Ｄを備えている。すなわち、第３の実施の形態では、第１の導体部６０Ｄが、全てのダミー電極部（第１〜第３のダミー電極部６３、８３Ｄ、６４）を備えており、換言すると、全てのダミー電極部が同一平面上に形成されている。このように、第１〜第３のダミー電極部６３、８３Ｄ、６４が、第２の導体部８０Ｄよりも表示装置に近い側に位置する第１の導体部６０Ｄに含まれていることで、表示装置からのノイズを第１〜第３のダミー電極部６３、８３Ｄ、６４で防げることができるため、センサ感度がより向上する。
【００９３】
また、第２のダミー電極８３Ｄの形状は、図１３に示した第１の実施形態におけるダミー電極８３と同様に、十字形状又はＬ字形状であり、接続部６１４に隣接する部分はＬ字形状、それ以外は十字形状となっている。一方で、第２の導体部８１Ｄは、他の実施形態と同様に、第２の検知部８１３と、第２の検知部８１４を備えるが、他の実施形態とは異なり、図２１に示すように、第２の細線８１１ａ、８１１ｂにより形成される第２の格子８１２の内側に、ダミー電極を備えていない。結果的に、上記の第１の導体部６０Ｄに備えられた第２のダミー電極８３Ｄが、透過平面視において、第２の格子８１２の内側に存在することとなる。
【００９４】
この第３の実施の形態においても、上述の第１の実施の形態と同様に、配線体の視認性を向上させることができる。また、第３の実施の形態においても、上述の第１の実施の形態と同様に、指などの外部導体Ｆと第１、第２の電極部６１、８１との間に、第１〜第３のダミー電極部６３、８３Ｄ、６４が位置しないため、センサ感度が向上する。
【００９５】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００９６】
例えば、上述の実施形態では、第１の導体部６０及び第２の導体部８０に含まれるそれぞれの細線は直線状とされているが、特にこれに限定されず、例えば、曲線、破線、ジグザグ線等にしてもよい。
【００９７】
また、上述の実施形態では、第１のダミー電極部６３は、第１の検知部６１３を構成する全ての第１の格子６１２内に存在していたが、非重複領域４２において、少なくとも一つの第１の格子６１２内に存在していれば、特に上述に限定されない。同様に、上述の実施形態では、第２のダミー電極部８３は、第２の検知部８１３を構成する全ての第２の格子８１２内に存在していたが、非重複領域４２において、少なくとも一つの第２の格子８１２内に存在していれば、特に上述に限定されない。
【００９８】
また、上述の実施形態では、第１の細線６１１のピッチと第３の細線６３１のピッチとが同じであったが、第１の細線６１１と第３の細線６３１とが接触しなければ、これらを異ならせてもよい。同様に、第２の細線８１１のピッチと第４の細線８３１のピッチとを異ならせてもよい。
【００９９】
また、上述の実施形態では、第１の電極部６１は、電極パターンとして、第１の検知部６１３と第１の接続部６１４とを含むパターン（いわゆる、ダイヤモンドパターン）を採用したが、特にこれに限定されず、第１の電極部の延在方向に沿って略均一の幅を有する帯状の電極パターンであってもよい。なお、第２の電極部８１については、第１の電極部６１で採用した電極パターンに対応する電極パターンを用いる。
【０１００】
また、上述の実施形態の第１の電極部６１では、第１の格子６１２内に突き出た第１の細線６１１が存在していなかったが、特にこれに限定されず、第１の格子６１２内に突き出た第１の細線６１１が存在してもよい。この場合、第１の格子６１２内に突き出た第１の細線６１１と第１のダミー電極部６３の第３の細線６３１とが、平面視において同一の仮想直線状に位置していることで、第１の格子６１２を形成する第１の細線６１１、第１の格子６１２内に突き出た第１の細線６１１、及び第３の細線６３１が組み合わさり、第４の格子６０２が形成される。
【０１０１】
また、上述の実施形態の第１の電極部６１では、第１の電極部６１の輪郭から突き出た第１の細線６１１が存在していなかったが、特にこれに限定されず、第１の電極部６１の輪郭から突き出た第１の細線６１１が存在していてもよい。
【０１０２】
また、例えば、本実施形態では、第１及び第２の導体部６０，８０を構成する導電性材料（導電性粒子）として、金属材料又はカーボン系材料を用いているが、特にこれに限定されず、金属材料及びカーボン系材料を混合したものを用いてもよい。この場合、例えば、第１の細線６１１を例に説明すると、当該第１の細線６１１の比較的粗い側にカーボン系材料を配置し、比較的に平坦な側に金属材料を配置してもよい。また、その逆で、第１の細線６１１の比較的粗い側に金属材料を配置し、比較的に平坦な側にカーボン系材料を配置してもよい。
【０１０３】
また、例えば、第１の樹脂部５０の下面を実装対象（フィルム、表面ガラス、偏光板、ディスプレイガラス等）に接着して、配線体４０を実装対象により支持させる形態として配線体を構成する場合、第１の樹脂部５０の下面に剥離シートを設け、実装時に当該剥離シートを剥がして実装対象に接着して実装する形態としてもよい。また、第１の樹脂部５０側から配線体４０を覆う樹脂部をさらに設け、当該樹脂部を介して、上述の実装対象に接着して実装する形態としてもよい。また、第３の樹脂部９０側を上述の実装対象に接着して実装する形態としてもよい。これらの場合、配線体を実装する実装対象が本発明の「支持体」の一例に相当する。
【０１０４】
さらに、上述の実施形態では、配線体又は配線基板は、タッチセンサに用いられるとして説明したが、特にこれに限定されない。例えば、配線体に通電して抵抗加熱等で発熱させることにより当該配線体をヒーターとして用いてもよい。この場合、導電性粒子としては、比較的電気抵抗値の高いカーボン系材料を用いることが好ましい。また、配線体の導体部の一部を接地することにより当該配線体を電磁遮蔽シールドとして用いてもよい。また、配線体をアンテナとして用いてもよい。この場合、配線体を実装する実装対象が本発明の「支持体」の一例に相当する。
【符号の説明】
【０１０５】
１０…タッチセンサ
２０…配線基板
３０…支持体
４０…配線体
４１…重複領域
４２…非重複領域
４３…隙間領域
４４…第３の格子
４５…第７の格子
５０…第１の樹脂部
６０…第１の導体部
６０１…交点
６０２…第４の格子
６１…第１の電極部
６１１…第１の細線
６１２…第１の格子
６１３…第１の検知部
６１４…第１の接続部
６２…第１の引出配線
６３…第１のダミー電極部
６３１…第３の細線
６３１１…端面
６３２…交点
６３３…第１の断線部
６３４…第２の断線部
６４…第３のダミー電極部
６４１…第５の細線
６４２…第５の格子
７０…第２の樹脂部
７１…開口部
８０…第２の導体部
８０１…交点
８０２…第６の格子
８１…第２の電極部
８１１…第２の細線
８１２…第２の格子
８１３…第２の検知部
８１４…第２の接続部
８２…第２の引出配線
８３…第２のダミー電極部
８３１…第４の細線
８３２…交点
８３３…第３の断線部
８３４…第４の断線部
８４…第４のダミー電極部
８４１…第６の細線
９０…第３の樹脂部
９１…開口部
Ｆ…外部導体
【図１】
2018123974.tif 000003
【図２】
2018123974.tif 000004
【図３】
2018123974.tif 000005
【図４】
2018123974.tif 000006
【図５】
2018123974.tif 000007
【図６】
2018123974.tif 000008
【図７】
2018123974.tif 000009
【図８】
2018123974.tif 000010
【図９】
2018123974.tif 000011
【図１０】
2018123974.tif 000012
【図１１】
2018123974.tif 000013
【図１２】
2018123974.tif 000014
【図１３】
2018123974.tif 000015
【図１４】
2018123974.tif 000016
【図１５】
2018123974.tif 000017
【図１６】
2018123974.tif 000018
【図１７】
2018123974.tif 000019
【図１８】
2018123974.tif 000020
【図１９】
2018123974.tif 000021
【図２０】
2018123974.tif 000022
【図２１】
2018123974.tif 000023
【国際調査報告】
2018123974.tif 000024
2018123974.tif 000025
2018123974.tif 000026
2018123974.tif 000027